(57)【要約】【課題】フレキシブル回路基板を省スペースで金属部品に対してグランドに接続した上で、二軸ヒンジを回動させた際にも安定動作を行うことが可能な撮像装置を提供すること。【解決手段】本体内光軸方向略中央かつ上部にフレキシブル回路基板と接続するためのコネクタ部を有し、コネクタ部の後方近傍に、金属フレームと前記フレキシブル回路基板とを固定するための固定部を有し、固定部の後方下部に、フレキシブル回路基板が撓むためのスペースを有し、前記スペースの後方下部に、フレキシブル回路基板を排出するための穴部を有する。【選択図】図９
2016134812.tif 000002
【特許請求の範囲】
【請求項１】
本体部と、撮影方向を前方として本体部に取りつけられたレンズユニットと、前記レンズユニットの光軸後方に、表示面がレンズ光軸に対し垂直に、本体部の背面に配置された表示部と、前記表示部側に配置され、前記第１回転軸と平行な軸を持つ第２回転軸と、前記第１回転軸と第２回転軸をつなぐヒンジ部をもち、前記表示部と前記本体部がフレキシブル回路基板によって接続され、前記フレキシブル回路基板は前記金属フレームとの固定部においてグランド接続を行う
撮像装置において、
本体内光軸方向中央かつ上部に前記フレキシブル回路基板と接続するためのコネクタ部を有し、
前記コネクタ部の後方近傍に、金属フレームと前記フレキシブル回路基板とを固定するための固定部を有し、
前記固定部の後方下部に、前記フレキシブル回路基板が撓むためのスペースを有し、
前記スペースの後方下部に、前記フレキシブル回路基板を排出するための穴部を有することを特徴とする撮像装置。
【請求項２】
前記フレキシブル回路基板と前記金属フレームとの固定部は弾性部材によって押さえつけられる構成であることを特徴とする請求項１に記載の撮像装置。
【請求項３】
前記弾性部材を保持する固定部材は、前記コネクタ部近傍に、前記フレキシブル回路基板を位置決めするための形状を有することを特徴とする請求項１に記載の撮像装置。
【発明の詳細な説明】
【技術分野】
【０００１】
本発明は、平行二軸ヒンジによって表示部を回動自在に支持する撮像装置に関する。
【背景技術】
【０００２】
近年、ビデオカメラ等の撮像装置の撮影形態は多様化している。特許文献１には、撮影方向を前方側として配設された撮像レンズと、この撮像レンズが形成する像を撮像する撮像手段とを有する本体部と、表示画面を本体部の後方側に向けて配設される映像表示装置をもち、一端部が本体部の背面側の上方縁部との間の第１のヒンジ部材を介して本体部に回動自在に支持されるとともに、他端部が映像表示装置との間の第２のヒンジ部材を介して映像表示装置を回動自在に支持する撮像装置が開示されている。上記のような構成のヒンジを平行２軸ヒンジと呼ぶ。
【先行技術文献】
【特許文献】
【０００３】
【特許文献１】特開平９−１６３１９１号公報
【発明の概要】
【発明が解決しようとする課題】
【０００４】
上記の平行２軸ヒンジを用いる場合の電気接続方法として、フレキシブル回路基板をヒンジ部を這わせるように配置し、本体内基板と、映像表示装置をつなぐ方法が考えられる。
【０００５】
しかしながら、二軸ヒンジを回動させた際、フレキシブル回路基板が引き延ばされつっぱてしまったり、逆に余長が挟み込まれてしまってはならない。また、安定的に二軸ヒンジを回動させるため、フレキシブル回路基板の動作は可逆的でなければならない。また、前記フレキシブル回路基板は、静電気による誤動作の防止や、信号の品質を確保するため、金属部品に対してグランドに接続する必要があり、撮像装置の小型化に伴いフレキシブル回路基板の処理をより困難としている。以上より、フレキシブル回路基板を省スペースで金属部品に対してグランドに接続した上で、二軸ヒンジを回動させた際にも安定動作を行う構成を実現する、という課題があった。
【０００６】
本発明は、フレキシブル回路基板を省スペースで金属部品に対してグランドに接続した上で、二軸ヒンジを回動させた際にも安定動作を行うことが可能な撮像装置を提供することを目的とする。
【課題を解決するための手段】
【０００７】
上記の目的を達成するために、本発明は、本体部と、撮影方向を前方として本体部に取りつけられたレンズユニットと、前記レンズユニットの光軸後方に、表示面がレンズ光軸に対し垂直に、本体部の背面に配置された表示部と、前記表示部側に配置され、前記第１回転軸と平行な軸を持つ第２回転軸と、前記第１回転軸と第２回転軸をつなぐヒンジ部をもち、前記表示部と前記本体部がフレキシブル回路基板によって接続され、前記フレキシブル回路基板は前記金属フレームとの固定部においてグランド接続を行う撮像装置において、本体内光軸方向略中央かつ上部に前記フレキシブル回路基板と接続するためのコネクタ部を有し、前記コネクタ部の後方近傍に、金属フレームと前記フレキシブル回路基板とを固定するための固定部を有し、前記固定部の後方下部に、前記フレキシブル回路基板が撓むためのスペースを有し、前記スペースの後方下部に、前記フレキシブル回路基板を排出するための穴部を有することを特徴とする。
【発明の効果】
【０００８】
本発明によれば、フレキシブル回路基板を省スペースで金属部品に対してグランドに接続した上で、二軸ヒンジを回動させた際にも安定動作を行うことが可能な撮像装置の提供を実現できる。
【図面の簡単な説明】
【０００９】
【図１】撮像装置１０１の外観斜視図
【図２】撮像装置１０１の外観斜視図
【図３】撮像装置１０１の外観斜視図
【図４】撮像装置１０１の右側面図
【図５】撮像装置１０１の右側面図
【図６】撮像装置１０１の分解斜視図
【図７】撮像装置１０１の分解斜視図
【図８】撮像装置１０１の部分拡大図
【図９】撮像装置１０１の断面図
【図１０】撮像装置１０１の断面図
【図１１】フレキシブル回路基板３０４とフレキ押さえ部１１３の分解斜視図
【発明を実施するための形態】
【００１０】
以下、本発明の好適な一実施形態について、撮像装置に本発明を適用し、図面を参照しながら詳細に説明する。
【００１１】
尚、本実施形態での説明において、図１における矢印にて示す方向を、各々Ｘ方向・Ｙ方向・Ｚ方向と定める。また、本実施形態における撮像装置において、レンズ（前玉）側から見た面（図１−Ｚ方向に向かって見た時、視認できる面）を正面、正面と対向する面を背面、正面から見て右側の面を右側面、正面から見て左側の面を左側面、正面から見て上側の面を上面、正面から見て下側の面を底面、と各々称する。
【００１２】
（撮像装置外観斜視図の説明）
図１は撮像装置１０１の主に上面構成を表す正面右側上方から見た斜視図、図２は撮像装置１０１の主に背面構成を表す背面左側上方から見た斜視図である。本図を用いて外観斜視図に表される各要素の機能を簡単に説明していく。
【００１３】
撮像装置１０１は、正面側にはレンズ１０２、背面側に撮影者が撮像画像や再生画像の表示を行う表示部１０５が配置された本体１０６と、本体１０６の左側面に把持部回動軸１０４を中心に回動可能に取り付けられた把持部１０３によって構成されている。
【００１４】
本体１０６の背面には、撮影者が撮像画像や再生画像の確認を行なう表示部１０５が配置されている。表示部１０５は本体１０６に対して回動可能に取り付けられており、撮影者が撮影状況に合わせて、表示部１０５の位置を任意に変えることができるように構成されている。表示部１０５の回動動作については、後述する。
【００１５】
表示部１０５には、撮影者が確認する撮像画像や再生画像が表示される表示画面３０１が配置されている。本説明の表示部１０５において、表示画面３０１が配置された側を表示部１０５表面、その対面側を表示部１０５裏面と表現する。
【００１６】
本体１０６には、表示部１０５裏面が対向する側に設けられた背面カバー１０７が配置されている。表示部１０５は背面カバー１０７に固定されることで本体１０６と結合している。
【００１７】
（撮像装置表示部の動作に関する説明）
撮像装置１０１の表示部１０５の動作について説明する。図３は本体１０６の上面側に表示部１０５を向けた状態を背面右側下方からみた斜視図、図４は本体１０６の上面側に表示部１０５を向けた状態を右側面からみた側面図、図５は本体１０６の底面側に表示部１０５を向けた状態を右側面からみた側面図である。
【００１８】
図３に示すように、表示部１０５には、本体１０６に対して回転移動可能に取り付けるヒンジ部３０５が配置されている。ヒンジ部３０５は、本体１０６側に配置された第１の表示部回転軸７０２と表示部１０５側に配置された第２の表示部回転軸７０３を有している。
【００１９】
図３に示すように、表示部１０５は、本体１０６に対して回転移動可能に構成される。本図を用いて表示部１０５の回動可能な姿勢について説明する。ヒンジ部３０５は不図示の本体内部背面側のビス締結部によって本体１０６に締結される。また、ヒンジ部３０５はこのビス締結部近傍に一点鎖線で表示した第１の表示部回転軸７０２を有し、本体１０６に対する表示部１０５の回転移動を可能にする。
【００２０】
このように、表示部１０５を第１の表示部回転軸７０２と第２の表示部回転軸７０３の２つの軸で回転移動させることで、撮影者は表示内容を見やすい位置に表示部１０５の位置を調整することが可能となる。たとえば、図４に示すような表示部１０５を本体１０６に対して上面側に向けた、いわゆるローアングル姿勢や、図５に示すような表示部１０５を本体１０６に対して底面側に向けた、いわゆるハイアングル姿勢においても、好適な位置で表示部１０５を視認できるようになる。これ以降の説明において、図４に示すような表示部１０５の状態をローアングル姿勢、図５に示すような表示部１０５の状態をハイアングル姿勢と表現する。
【００２１】
（撮像装置１０１の分解斜視図の説明）
図６は撮像装置１０１を背面右側上方からみた分解斜視図である。図６に示すように、撮像装置１０１は、本体側メイン基板１０８、本体側メイン基板１０８を冷却するためのファン装置１０９、金属によって形成された背面側フレーム１１０、背面カバー１０７、表示部１０５、マイク部やアクセサリー装着部等を有する上面ユニット１１１を有している。図７は撮像装置１０１を上面ユニット１１１を省略し、正面右側上方からみた分解斜視図である。
【００２２】
表示部１０５は、ヒンジ部３０５、本体側メイン基板１０８と接続するためのフレキシブル回路基板３０４を有している。詳細は後述する。本体側メイン基板１０８は、表示部１０５から引き出されたフレキシブル回路基板３０４と接続するための本体側コネクタ部２０２有している。フレキシブル回路基板３０４は、フレキ押さえ部１１３によって位置決めや固定を行うが詳細は後述する。
【００２３】
（フレキ押さえ部１１３の説明）
図８は撮像装置１０１の上面ユニット１１１を除いた外観斜視図と、その部分拡大図であり、図１１はフレキシブル回路基板３０４と、フレキ押さえ部１１３のみを示した右側下方分解斜視図である。
【００２４】
フレキシブル回路基板３０４は、補強版によって形成された凸形状３０４ａを有する。また、フレキシブル回路基板３０４は、本体側メイン基板１０８の本体側コネクタ部２０２付近で、フレキ押さえ部１１３の挟み込み形状１１３ａによってフレキシブル回路基板３０４が有する凸形状３０４ａを挟み込まれる形で位置決めされている。
【００２５】
フレキ押さえ部１１３は、背面側フレーム１１０に対して爪部１１３ｂを介して取りついている。また、フレキ押さえ部１１３は、透明の樹脂で形成されており、図中では確認できないフレキシブル回路基板３０４の収納状態を確認することが出来る。さらに、フレキ押さえ部１１３は、フレキシブル回路基板３０４のグランド露出部３０４ｂを背面側フレーム１１０に対して押さえつけるためのクッション部１１３ｃを有している。詳細は後述する。
【００２６】
（断面図の説明）
図９は撮像装置１０１のうち、上面ユニット１１１、本体側メイン基板１０８、背面側フレーム１１０、フレキ押さえ部１１３、背面カバー１０７、表示部１０５のみを示した断面図である。
【００２７】
フレキシブル回路基板３０４は、図１１に示したグランド露出部３０４ｂを、フレキ押さえ部１１３が有するクッション部１１３ｃによって背面側フレーム１１０に対して押しつけられており、グランドを確保することが出来る。また、フレキシブル回路基板３０４は、クッション部１１３ｃの後方下部の撓みスペース１１４において余長部をＳ字を描く形で収容され、さらに後方下部に位置する背面カバー１０７の背面カバー穴部１０７ａから外部に引き出される。
【００２８】
背面カバー穴部１０７ａから引き出されたフレキシブル回路基板３０４はヒンジ部３０５を這うように配置されており、表示部１０５の背面側に用意された表示部穴部１０５ａから表示部１０５内部に収納され、表示部基板３０２上に用意された表示部側コネクタ部３０３と接続する。
【００２９】
図１０はローアングル姿勢の撮像装置１０１のうち、上面ユニット１１１、本体側メイン基板１０８、背面側フレーム１１０、フレキ押さえ部１１３、背面カバー１０７、表示部１０５のみを示した断面図である。
【００３０】
ローアングル姿勢において、フレキシブル回路基板３０４の、本体側メイン基板１０８の本体側コネクタ部２０２から、表示部基板３０２上の表示部側コネクタ部３０３までの最短経路が、図９に示した表示部１０５を収納した状態においてよりも長いため、撓みスペース１１４におけるＳ字は、図９でのＳ字よりも引き延ばされたＳ字となり、余長を吸収することが可能となる。また常に余長部がＳ字を描くため、フレキシブル回路基板３０４の動作は安定した可逆的なものとなる。
【００３１】
また、上面ユニット１１１からは、半田部１１１ａがフレキシブル回路基板３０４近傍に存在するが、フレキ押さえ部１１３が、保護部材を兼ねるため接触によるショートの懸念もない。ここでは、フレキシブル回路基板３０４が引き延ばされた状態の説明としてローアングル姿勢を例に出したが、ハイアングル姿勢においても、フレキシブル回路基板３０４が引き延ばされる際の動作は同様である。
【００３２】
以上説明したように、フレキシブル回路基板を省スペースで金属部品に対してグランドに接続した上で、二軸ヒンジを回動させた際にも安定動作を行うことが可能となる。
【００３３】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００３４】
１０１  撮像装置、１０２  レンズ、１０３  把持部、１０４  把持部回動軸、
１０５  表示部、１０５ａ  表示部穴部、１０６  本体、１０７  背面カバー、
１０７ａ  背面カバー穴部、１０８  本体側メイン基板、１０９  ファン装置、
１１０  背面側フレーム、１１１  上面ユニット、１１１ａ  半田部、
１１３  フレキ押さえ部、１１３ａ  挟み込み形状、１１３ｂ  爪部、
１１３ｃ  クッション部、１１４  撓みスペース、２０２  本体側コネクタ部、
３０１  表示画面、３０２  表示部基板、３０３  表示部側コネクタ部、
３０４  フレキシブル回路基板、３０４ａ  凸形状、３０４ｂ  グランド露出部、
３０５  ヒンジ部、７０２  第１の表示部回転軸、７０３  第２の表示部回転軸
【図１】
2016134812.tif 000003
【図２】
2016134812.tif 000004
【図３】
2016134812.tif 000005
【図４】
2016134812.tif 000006
【図５】
2016134812.tif 000007
【図６】
2016134812.tif 000008
【図７】
2016134812.tif 000009
【図８】
2016134812.tif 000010
【図９】
2016134812.tif 000011
【図１０】
2016134812.tif 000012
【図１１】
2016134812.tif 000013